(57)【要約】      （修正有）【課題】持ち運びや現場での試験作業員の負担の軽減を可能とするスランプコーンを提供する。【解決手段】スランプ試験に用いられるスランプコーン１は、アルミ製である裁頭円錐形状の本体部１１と、本体部１１の外周面に設けられた一対の把持部１２とを備える。スランプ試験時に、スランプコーン１には生コンクリートが詰められ、完全に詰められた後、試験作業員が把持部１２を持ち、スランプコーン１を静かにかつ鉛直に連続して引き上げる。本体部１１が軽量であることから、試験作業員がスランプコーン１を引き上げるのが容易となる。【選択図】図１
0003233275.tif 000002
【実用新案登録請求の範囲】
【請求項１】
アルミ製である裁頭円錐形状の本体部と、
前記本体部の外周面に設けられた一対の把持部と、
を備えるスランプコーン。
【請求項２】
請求項１に記載のスランプコーンと、
スランプ試験時に前記本体部の内部に詰められた試料をならした後一様に突くための突き棒と、
を備えるスランプ試験器具であって、
前記突き棒の少なくとも一端部がアルミ製である、スランプ試験器具。
【請求項３】
前記突き棒の一端部と前記一端部以外の部分とが、ねじ構造によって連結されている、請求項２に記載のスランプ試験器具。
【考案の詳細な説明】
【技術分野】
【０００１】
本考案は、スランプコーン及びスランプ試験器具に関する。
【背景技術】
【０００２】
凝固前の生コンクリートの流動性を示す値（スランプ値）を調べる試験方法である「コンクリートのスランプ試験方法」がＪＩＳ  Ａ  １１０１に規定されており、従来よりこの試験方法が実施されている。
【０００３】
当該スランプ試験においては、スランプコーンと呼ばれる裁頭円錐形の容器が用いられ、工事現場等において、ＪＩＳ  Ａ  １１０１に規定されている試験方法で試験を実施する必要がある。
【考案の概要】
【考案が解決しようとする課題】
【０００４】
しかしながら、従来のスランプコーンは、鉄等の質量の大きい金属を用いて製造されており、工事現場等に持ち運ぶことが負担となっていた。
【０００５】
また、スランプ試験においては、ＪＩＳ  Ａ  １１０１に規定されているように、スランプコーンを３００ｍｍの高さにつき２〜３秒で静かに且つ鉛直に連続して引き上げる必要があり、繰り返し行う必要があるスランプ試験においては、従来のスランプコーンで行うことが、現場の試験作業員にとって大きな負担であった。
【０００６】
本考案の目的は、持ち運びや現場での作業の負担を軽減するスランプコーン及びスランプ試験器具を提供することである。
【課題を解決するための手段】
【０００７】
上記課題を解決するために、本考案の一態様に係るスランプコーンは、アルミ製である裁頭円錐形状の本体部と、前記本体部の外周面に設けられた一対の把持部と、を備える、ことを特徴としている。
【考案の効果】
【０００８】
本考案の一態様によれば、持ち運びや現場での作業の負担を軽減することができる。
【図面の簡単な説明】
【０００９】
【図１】本考案の一実施形態であるスランプコーンの正面斜視図である。
【図２】本考案の一実施形態であるスランプ試験器具に用いられる突き棒の正面図である。
【図３】本考案の一実施形態であるスランプ試験器具に用いられる突き棒の変形例に係る（ａ）一端部以外の部分の正面図、（ｂ）一端部の正面図及び（ｃ）一端部の底面図である。
【図４】本考案の一実施形態であるスランプ試験器具を用いたスランプ試験の概略図である。
【考案を実施するための形態】
【００１０】
以下、本考案の実施の形態について図を参照しながら説明する。なお、以下の実施例において示す構成は一例であり、本考案はこれらの構成に限定されるものではない。
【００１１】
図１は、本考案の一実施形態であるスランプコーンの正面斜視図である。図１に示すように、スランプコーン１は、本体部１１、把持部１２を含んでいる。
【００１２】
本体部１１は、裁頭円錐形状であり、その外周面には一対の把持部１２が設けられている。また、本体部１１の材質としては、主にアルミであるが、外周表面上などの一部に他の材質が含まれていてもよい。また、図１に示すように、通常は、下端側に押え片１３が設けられる。
【００１３】
把持部１２は、主に、スランプ試験時にスランプコーンを鉛直に引き上げるために使用する。把持部１２の材質としては、特に限定されないが、例えば、アルミ、鉄等の金属が挙げられる。
【００１４】
押え片１３は、主に、スランプ試験時にスランプコーン内に生コンクリートを詰める際に、両足でスランプコーンを押さえるために用いられる。押え片１３の材質としては、特に限定されないが、例えば、アルミ、鉄等の金属が挙げられる。
【００１５】
図２は、本考案の一実施形態であるスランプ試験器具に用いられる突き棒の正面図である。図２に示すように、突き棒２の少なくとも一端部２１はアルミ製となっている。一端部以外の部分２２の材質としては、例えば、鉄、アルミ等の金属が挙げられる。このように、少なくとも一端部２１をアルミ製にすることにより、スランプ試験時に台板を傷つけることを防ぐことができる。
【００１６】
図３は、本考案の一実施形態であるスランプ試験器具に用いられる突き棒の変形例に係る（ａ）一端部以外の部分の正面図、（ｂ）一端部の正面図及び（ｃ）一端部の底面図である。図３に示すように、突き棒２００の一端部２０１と一端部以外の部分２０２は、ねじ構造により連結されており、着脱可能となっている。図３では、一端部の底部に雌ねじ部２０１ａが設けられ、一端部以外の部分２０２に雄ねじ部２０２ａが設けられているが、一端部２０１の底部に雄ねじ部を設け、一端部以外の部分２０２に雌ねじ部を設けるようにしてもよい。このようなねじ構造とすることにより、例えば、アルミ製の一端部２０１が劣化した場合や破損した場合に、容易に、別の一端部２０１に交換を行うことができる。また、用途に応じて、別の材質の一端部に交換することも可能となる。
【００１７】
次に、図４を用いて、本考案の一実施形態に係るスランプ試験器具を使用したスランプ試験方法について説明する。図４は、本考案の一実施形態であるスランプ試験器具を用いたスランプ試験の概略図である。
【００１８】
図４（ａ）に示すように、水平に設置した台板Ｂに置いたスランプコーン１の内部に生コンクリートＣを詰めていく。生コンクリートＣは、ほぼ等しい量の３層に分けて詰めていくが、その際、各層を突き棒２００でならした後、偏りがないように一様に突く。この時、突き棒が台板Ｂを突くことがあるが、突き棒の一端部２０１がアルミ製であるため、台板Ｂを傷つけるのを防ぐことができる。
【００１９】
図４（ｂ）に示すように、生コンクリートＣがスランプコーン１の内部に完全に詰められた後、スランプコーン１を静かにかつ鉛直に連続して引き上げる。この時、引き上げるための時間は、ＪＩＳ  Ａ  １１０１において、高さ３００ｍｍで２秒〜３秒と規定されているが、スランプコーン１の場合、本体部がアルミ製であって軽量であることから、試験作業員は容易にスランプコーン１を引き上げることができる。
【００２０】
図４（ｃ）に示すように、スランプコーン１を引き上げた後、生コンクリートＣは、周囲に広がり、中央部の高さが下がる。この下がりをスランプ検尺３を用いて０．５ｃｍ単位で測定し、これをスランプとして記録する。
【００２１】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【符号の説明】
【００２２】
１    スランプコーン
１１    本体部
１２    把持部
１３    押え片
２，２００    突き棒
２１，２０１    一端部
３    スランプ検尺
Ｂ    台板
Ｃ    生コンクリート
【図１】
0003233275.tif 000003
【図２】
0003233275.tif 000004
【図３】
0003233275.tif 000005
【図４】
0003233275.tif 000006